(57)【要約】本発明は、支持装置を有する、モジュール状に構成された電子写真式の印刷装置に関する。支持装置は搬送装置を有していて、この搬送装置上で基板がスタート位置と目標位置との間で搬送されるようになっており、この場合、スタート位置と目標位置との間で支持装置に単数又は複数の電子写真ユニットが配置されており、これらの電子写真ユニットが、現像装置と、光導電体と、この光導電体に配属された露光装置とを有しており、前記支持装置が、搬送装置の搬送方向で相前後して配置された、選択的に２つ又はそれ以上の受容位置を有しており、これらの受容位置が、一体的な機械的なインタフェースを備えており、電子写真ユニットが、前記インタフェースに適合して構成された固定部分を有している。この印刷装置は、技術的な装備に関連してフレキシブルに設計されていて、安価な費用で特殊な印刷依頼者に合わせて個別に装備することができる。
2004512568.tif 000002
【特許請求の範囲】
【請求項１】
モジュール状に構成された電子写真式の印刷装置において、支持装置（１５）を有しており、該支持装置（１５）が搬送装置（１６）を有していて、この搬送装置（１６）上で基板がスタート位置と目標位置との間で搬送されるようになっており、この場合、スタート位置と目標位置との間で支持装置（１５）に単数又は複数の電子写真ユニット（１２ａ，１２ｂ，１２ｃ，１２ｄ）が配置されており、これらの電子写真ユニットが、現像装置と、光導電体と、この光導電体に配属された露光装置とを有しており、前記支持装置（１５）が、搬送装置（１６）の搬送方向で相前後して配置された、選択的に２つ又はそれ以上の受容位置を有しており、これらの受容位置が、一体的な機械的なインタフェースを備えており、電子写真ユニット（１２ａ，１２ｂ，１２ｃ，１２ｄ）が、前記インタフェースに適合して構成された固定部分を有していることを特徴とする、モジュール状に構成された電子写真式の印刷装置。
【請求項２】
前記受容位置が、一体的な電気的なインタフェース有利にはバスシステムを備えている、請求項１記載の印刷装置。
【請求項３】
支持装置（１５）が、相前後して配置された少なくとも２つの部分フレームより構成されており、これらの部分フレームが可動であって、電子写真ユニットのためのそれぞれ１つの受容位置を有している、請求項１又は２記載の印刷装置。
【請求項４】
搬送装置（１６）が部分フレーム（１５）を介して一体的な構造群として構成されているか、又は
各部分フレームが部分搬送装置を有しており、
各部分搬送装置が一体的な搬送装置（１６）を形成するために互いに機械的に及び／又は電気駆動制御装置を介して連結されている、請求項３記載の印刷装置。
【請求項５】
スタート位置の範囲内で、センタリングモジュール（１１）が支持装置（１５）に取り付けられている、請求項１から４までのいずれか１項記載の印刷装置。
【請求項６】
センタリングモジュール（１１）に、搬送方向（１６）で前方に予センタリングモジュール（１０）が配属されており、
該予センタリングモジュール（１０）が支持装置（１５）に又はセンタリングモジュール（１１）に取り付けられている、請求項３記載の印刷装置。
【請求項７】
支持装置（１５）又は電子写真ユニット（１２ａ，１２ｂ，１２ｃ，１２ｄ）に定着モジュール（１３）が配置されており、該定着モジュールが、基板上に被着されるトナーを、予備的な定着又は最終的な定着、例えば焼き付け又は硬化させるために用いられる、請求項１から６までのいずれか１項記載の印刷装置。
【請求項８】
定着モジュール（１３）が固定部分を有しており、該固定部分によって、定着モジュール（１３）は支持装置（１５）のインタフェースに取り付け可能である、請求項７記載の印刷装置。
【請求項９】
各電子写真ユニット（１２ａ，１２ｂ，１２ｃ，１２ｄ）との接続部に定着モジュール（１３）が配置されている、請求項５又は６記載の印刷装置。
【請求項１０】
目標位置の範囲内で、送り出しモジュール例えば積み重ね装置が支持装置（１５）に取り付けられている、請求項１から９までのいずれか１項記載の印刷装置。
【請求項１１】
目標位置の範囲内に、さらに処理するための製造装置と連結するための送り出しモジュール（１４）が配置されている、請求項１から１０までのいずれか１項記載の印刷装置。
【請求項１２】
各電子写真ユニットが、トナーを基板に転写するための転写システム（１２．２）を有しており、
該転写システムに、搬送方向で前方に一次電荷手段（１２．１）が配属されていて、搬送方向で後方に二次電荷手段（１２．３）が配属されている、請求項１から１１までのいずれか１項記載の印刷装置。
【請求項１３】
フルカラー印刷システムを形成するために支持装置（１５）に４つの電子写真ユニット（１２ａ，１２ｂ，１２ｃ，１２ｄ）が取付けられており、この場合、各電子写真ユニットに着色されたトナー、つまりシアン、マゼンタ、黄若しくは黒に着色されたトナーが貯蔵されている、請求項１から１２までのいずれか１項記載の印刷装置。
【請求項１４】
請求項１から１２までのいずれか１項記載の印刷装置の使用法において、
この印刷装置を、曲げに対して強い面状の基板に印刷するために使用することを特徴とする、印刷装置の使用法。
【発明の詳細な説明】
【０００１】
本発明は、モジュール状に構成された電子写真式の印刷装置に関する。ヨーロッパ特許公開第８９６２５６号明細書によれば、コピー用紙をカラー印刷で被覆するための印刷装置が公知である。このために、印刷装置は、相前後して配置された４つの光導電ドラムを有している。コピー用紙は、コンベヤベルトによって光導電ドラムに沿ってガイドされる。次いで、各光導電ドラムによって、固有の色のトナーがコピー用紙に転写される。
このような印刷装置は、例えばプレート状の工作物に装飾印刷を施すような工業的使用のためには適していない。このような使用の場合のためには、印刷装置を特別な印刷要求に合わせる必要がある。例えば２色刷りが行われるか、又は特殊なトナーが施される場合には、このような印刷装置は最適なものではない。
そこで本発明の課題は、電子写真式の印刷装置を改良して、技術的な装備に関連してフレキシブルに（可変に）設置可能であって、安価な費用で特殊な印刷依頼に合わせて個別に構成することができるようなものを提供することである。
この課題を解決した本発明によれば、モジュール状に構成された電子写真式の印刷装置において、支持装置を有しており、該支持装置が搬送装置を有していて、この搬送装置上で基板がスタート位置と目標位置との間で搬送されるようになっており、この場合、スタート位置と目標位置との間で支持装置に単数又は複数の電子写真ユニットが配置されており、これらの電子写真ユニットが、現像装置と、光導電体と、この光導電体に配属された露光装置とを有しており、前記支持装置が、搬送装置の搬送方向で相前後して配置された、選択的に２つ又はそれ以上の受容位置を有しており、これらの受容位置が、一体的な機械的なインタフェースを備えており、電子写真ユニットが、前記インタフェースに適合して構成された固定部分を有している。
電子写真ユニットは、使用者の選択に従って支持フレーム上で位置決めすることができる、自動的に機能する構造群を形成している。処理しようとする印刷以来に関連して、単数又は複数の電子写真ユニットを使用することができる。これによって、プレート状の工作物の表面特性を変更、かつ／又は装飾するための種々異なる技術的特性又は種々異なる色を有する、互いに異なるトナーによって印刷することもできる。支持装置が一体的なインタフェースを形成しているので、この電子写真ユニットは簡単に組み付け、かつ対応配置させることができる。
付加的に、受容位置が、一体的な電気的なインタフェース有利にはバスシステムを備えていれば、組み付けコストはさらに低減される。
【０００２】
本発明の可能な変化実施例によれば、支持装置が、相前後して配置された少なくとも２つの部分フレームより組み合わさて構成されており、これらの部分フレームが可動であって、電子写真ユニットのためのそれぞれ１つの受容位置を有している。このような形式で、支持装置を、個別の要求に合わせて所望に構成することができる。この場合、使用しようとする電子写真ユニットの数は、特に部分フレームの数を規定する。
【０００３】
付加的に、搬送装置が部分フレームを介して一体的な構造群として構成されているか、又は各部分フレームが部分搬送装置を有しており、各部分搬送装置が一体的な搬送装置を形成するために互いに機械的に及び／又は電気駆動制御装置を介して連結されている。部分支持装置の接続部によって、同期的な送りが確実に行われるので、基板は同じ速度で搬送される。
【０００４】
基板の整然とした供給を確実にするために、スタート位置の範囲内に、センタリングモジュールが支持装置に取り付けられている。センタリングモジュールは、印刷装置に組立部品のように取り付けることができる一体的な構造群を成している。
【０００５】
本発明によればさらに、センタリングモジュールに、搬送方向で前方に予センタリングモジュールが配属されており、該予センタリングモジュールが支持装置に又はセンタリングモジュールに取り付けられている。センタリングモジュールと協働して、予センタリングモジュールは、基板の正確な整列及び基板の整然とした供給を保証する。
【０００６】
本発明の有利な実施態様によれば、支持装置又は電子写真ユニットに定着モジュールが配置されており、該定着モジュールが、基板上に被着されるトナーを、予備的な定着又は最終的な定着、例えば焼き付け又は硬化させるために用いられる。単数又は複数の電子写真ユニットによってトナーが施された後で、トナーは適当なエネルギー供給によって、定着モジュールを介して基板表面に定着される。トナーを施した後の予備的定着は、例えばセラミックインキが印刷される場合に特に有利であることが証明された。このセラミックインキは、一般的にガラス又はガラスセラミック上の基板に印刷される。印刷装置を通過した後で、予備的に定着されたトナーを有する基板は、最終的に定着するためのユニットに供給される。このユニット内で、トナーは高温で定着され、特にセラミックトナーの場合には焼き付けられるか又は熱硬化性トナーの場合には硬化される。
【０００７】
定着モジュールは、固定部分を有しており、該固定部分によって、定着モジュールのインタフェースが連結可能である。これによってインタフェースは、電子写真ユニットだけでなく、単数又は複数の定着モジュールを、正確に整列させるためにも用いられる。
【０００８】
前述のように、１つの印刷装置のための単独の定着モジュールを設けることができる。この定着モジュールは、一般的に、搬送方向で単独の電子写真ユニットの後ろに配置される。各電子写真ユニットに１つの定着モジュールを配属することも考えられる。これによって中間定着させることも可能である。これは特に、例えばトナーを重ねて印刷した場合にも重要である。
【０００９】
目標位置の範囲内に送り出しモジュールが配置されている。この送り出しモジュールによって、印刷しようとする基板を整然と引き出すことができる。送り出しモジュールは、例えば支持装置に取り付けられる積み重ね装置であってよい。
【００１０】
大きい壁厚を有する特に面状の基板、例えばガラス板、ガラスセラミック板、木板又はプラスチックプレートに確実に印刷することができるようにするために、本発明の別の実施態様によれば、各電子写真ユニットが、トナーを基板に転写するための転写システムを有しており、該転写システムに、搬送方向で前方に一次電荷手段が配属されていて、搬送方向で後方に二次電荷手段が配属されている。一次電荷手段及び二次電荷手段によって、基板の表面を静電的に電荷することができる。可能な電荷手段は、有利には、印刷しようとする基板の表面に作用する電荷ブラシ、電荷ローラ又は電荷コロナである。電子写真ユニットを通過する際に、基板はまず一次電荷手段によって電荷される。次いで基板は、トナー転写が行われる搬送システムの範囲に達する。
【００１１】
次いで基板はさらに二次電荷手段に送られ、ここで後電荷される。基板の大きさ若しくは、搬送装置上における基板の位置決めに応じて、基板は一次電荷手段にも二次電荷手段にも接続されるか、又は二次電荷手段だけに接続される。基板がコーティング工程中に常に少なくとも１つの電荷手段に接続され、この電荷手段によって電荷されることが確実に行われなければならない。
【００１２】
フルカラー印刷システムを形成するために支持装置に４つの電子写真ユニットが取付けられており、この場合、各電子写真ユニットに着色されたトナー、つまりシアン、マゼンタ、黄若しくは黒に着色されたトナーが貯蔵されている。各色は、互いに重ね印刷され、場合によっては中間定着されるか又は並んで印刷され、それによって互いに混合される。これによって公知の色で別の色を生ぜしめることができる。
【００１３】
本発明は、図示の実施例を用いて以下に詳しく説明されている。
【００１４】
図１は、電子写真ユニットを備えた印刷装置の概略図、
図２は、フルカラー印刷システムの概略図である。
【００１５】
図１には、プレート状の材料に印刷するための印刷装置が示されている。この印刷装置によって一色刷が行われる。
【００１６】
この印刷装置は支持装置１５を有しており、この支持装置１５に、搬送システム１６が配属されている。この搬送システムに沿って種々異なる構成部分が配置されている。この搬送システムによって、基板が、スタート位置と目標位置との間で搬送される。基板は、例えばガラスセラミックプレート、ガラスプレート、セラミックプレート又はプラスチックプレートであってよい。さらに、フレキシブルな基板、例えばプラスチックシート、皮革、織物その他の材料の印刷が行われる。これらの材料は、印刷工程中に、搬送装置上に位置するか又は搬送装置の一部である、曲げに対して強い（ｂｉｅｇｅｓｔｅｉｆ）ベース上に固定される。スタート位置の領域内には予センタリングモジュール１０が配置されている。この予センタリングモジュール１０によって、基板はおおまかに位置決めされる。次いで、基板は搬送装置１６によってセンタリングモジュール１１に供給され、このセンタリングモジュール１１内で正確に整列される。基板の位置整列が得られると、基板は電子写真ユニット１２ａに供給される。
【００１７】
電子写真ユニット１２ａは、現像装置と、光導電体と、転写システム１２／２とを有している。さらにまた、電子写真ユニット１２ａは、露光装置を有しており、この露光装置によって、光導電体上に公知の形式で、潜在的な電荷像を生ぜしめることができる。この電荷像に基づいて、現像装置によってトナー材料（現像装置の別個のトナーカートリッジ内に貯蔵されている）が光導電体に移される。次いで、光導電体は直接的に又は転写システム１２．２を用いてトナーを基板上に転写する。基板上へのトナー転写を高品質で確実に行うことができるようにするために、転写システム１２．２に、一次電荷手段１２．１が前置接続され、二次電荷手段１２．３が後置接続されている。一次電荷手段及び二次電荷手段は、印刷しようとする基板表面に電荷を被着させる。一次荷電手段及び二次荷電手段のこのような配置によって、荷電は、全コーティング工程中に維持される。
【００１８】
基板上にトナーが被着された後で、基板は定着モジュール１３を通過する。定着モジュール１３内でトナーは温度の影響を受けて基板に定着される。次いで基板は、送り出しモジュール１４に達し、この送り出しモジュール１４内で、印刷装置から取り出されて、積み重ね装置例えば緩衝装置を通って、又は相応の連結手段を介して、さらに処理を行う仕上げステーションに達する。
【００１９】
支持装置１５は、電子写真ユニット１２ａのための及び定着モジュール１３のための、一体的な機械的なインタフェースを有している。これに対応して、電子写真ユニット１２ａと定着モジュール１３とは、複数の固定部分を有しており、これらの固定部分は、支持装置の機械的及び電気的なインタフェース上に適合して構成されている。これによって、この構造ユニットを、支持装置１５に対して迅速かつ簡単に対応配置することが可能である。
【００２０】
図２にはフルカラー印刷システムが図示されている。図１に示した構成と同様に、搬送システム１６を備えた支持装置１５が使用されている。支持装置１５は、相前後して配置された５つの機械的なインタフェースを有しており、これらのインタフェースに、電子写真ユニット１２ａ，１２ｂ，１２ｃ，１２ｄ若しくは定着モジュール１３を固定することができる。機械的及び電気的なインタフェースは一体的であるので、電子写真ユニット１２ａ〜１２ｄは任意の連続で配置することができる。電子写真ユニット１２ａ〜１２ｄのそれぞれにトナーが貯蔵されている。
【００２１】
しかしながらトナーは種々異なる色であってもよく、例えば第１の電子写真ユニット１２ａにはマゼンタ、電子写真ユニット１２ｂには黄、電子写真ユニット１２ｃにはシアン、また電子写真ユニット１２ｄには黒のトナーが貯蔵されている。
【００２２】
図２には、支持装置１５上に、図１に示した実施例と同様に、予センタリングモジュール１０、センタリングモジュール１１、定着モジュール１３及び送り出しモジュール１４が組み付けられている。さらに、搬送システム１６が使用されており、この搬送システム１６は、印刷装置の個別の構造ユニットを互いに連結している。
【図面の簡単な説明】
【図１】
電子写真ユニットを備えた印刷装置の概略図である。
【図２】
電子写真ユニットを備えた印刷装置の概略図である。
【国際公開パンフレット】
2004512568.tif 000003
2004512568.tif 000004
2004512568.tif 000005
2004512568.tif 000006
2004512568.tif 000007
2004512568.tif 000008
2004512568.tif 000009
2004512568.tif 000010
2004512568.tif 000011
2004512568.tif 000012
2004512568.tif 000013
2004512568.tif 000014
2004512568.tif 000015
2004512568.tif 000016
2004512568.tif 000017
2004512568.tif 000018
【手続補正書】
【提出日】平成14年11月13日(2002.11.13)
【手続補正１】
【補正対象書類名】明細書
【補正対象項目名】特許請求の範囲
【補正方法】変更
【補正の内容】
【特許請求の範囲】
【請求項１】
モジュール状に構成された電子写真式の印刷装置であって、支持装置（１５）を有しており、該支持装置（１５）が搬送装置（１６）を有していて、この搬送装置（１６）上で、印刷しようとする基板がスタート位置と目標位置との間で搬送されるようになっており、この場合、スタート位置と目標位置との間で支持装置（１５）に単数又は複数の電子写真ユニット（１２ａ，１２ｂ，１２ｃ，１２ｄ）が配置されており、これらの電子写真ユニットが、光導電体、現像装置、露光装置及びこれと類似のものとして構成されている形式のものにおいて、
前記支持装置（１５）が、搬送装置（１６）の搬送方向で相前後して配置された多数の受容部を有していて、これらの受容部が、電子写真ユニット（１２ａ，１２ｂ，１２ｃ，１２ｄ）を取り付けるための一体的な機械的インタフェース及び電気的インタフェースを備えており、この場合、これらの電子写真ユニット（１２ａ，１２ｂ，１２ｃ，１２ｄ）が、機械的接続部のための複数の固定部分を備えており、前記受容部が電気的接続部のためのバスシステムを備えていることを特徴とする、モジュール状に構成された電子写真式の印刷装置。
【請求項２】
支持装置（１５）が、相前後して配置された少なくとも２つの部分フレームより構成されており、これらの部分フレームが可動であって、電子写真ユニットのためのそれぞれ１つの受容位置を有している、請求項１記載の印刷装置。
【請求項３】
搬送装置（１６）が部分フレーム（１５）を介して一体的な構造群として構成されているか、又は
各部分フレームが部分搬送装置を有しており、
各部分搬送装置が一体的な搬送装置（１６）を形成するために互いに機械的に及び／又は電気駆動制御装置を介して連結されている、請求項１又は２記載の印刷装置。
【請求項４】
スタート位置の範囲内で、センタリングモジュール（１１）が支持装置（１５）に取り付けられている、請求項１から３までのいずれか１項記載の印刷装置。
【請求項５】
センタリングモジュール（１１）に、搬送方向（１６）で前方に予センタリングモジュール（１０）が配属されており、
該予センタリングモジュール（１０）が支持装置（１５）に又はセンタリングモジュール（１１）に取り付けられている、請求項２記載の印刷装置。
【請求項６】
支持装置（１５）又は電子写真ユニット（１２ａ，１２ｂ，１２ｃ，１２ｄ）に定着モジュール（１３）が配置されており、該定着モジュールが、基板上に被着されるトナーを、予備的な定着又は最終的な定着、例えば焼き付け又は硬化させるために用いられる、請求項１から５までのいずれか１項記載の印刷装置。
【請求項７】
定着モジュール（１３）が固定部分を有しており、該固定部分によって、定着モジュール（１３）は支持装置（１５）のインタフェースに取り付け可能である、請求項６記載の印刷装置。
【請求項８】
各電子写真ユニット（１２ａ，１２ｂ，１２ｃ，１２ｄ）との接続部に定着モジュール（１３）が配置されている、請求項４又は５記載の印刷装置。
【請求項９】
目標位置の範囲内で、送り出しモジュール例えば積み重ね装置が支持装置（１５）に取り付けられている、請求項１から８までのいずれか１項記載の印刷装置。
【請求項１０】
目標位置の範囲内に、さらに処理するための製造装置と連結するための送り出しモジュール（１４）が配置されている、請求項１から９までのいずれか１項記載の印刷装置。
【請求項１１】
各電子写真ユニットが、トナーを基板に転写するための転写システム（１２．２）を有しており、
該転写システムに、搬送方向で前方に一次電荷手段（１２．１）が配属されていて、搬送方向で後方に二次電荷手段（１２．３）が配属されている、請求項１から１０までのいずれか１項記載の印刷装置。
【請求項１２】
フルカラー印刷システムを形成するために支持装置（１５）に４つの電子写真ユニット（１２ａ，１２ｂ，１２ｃ，１２ｄ）が取付けられており、この場合、各電子写真ユニットに着色されたトナー、つまりシアン、マゼンタ、黄若しくは黒に着色されたトナーが貯蔵されている、請求項１から１１までのいずれか１項記載の印刷装置。
【請求項１３】
請求項１から１１までのいずれか１項記載の印刷装置の使用法において、
この印刷装置を、曲げに対して強い面状の基板に印刷するために使用することを特徴とする、印刷装置の使用法。
【手続補正２】
【補正対象書類名】明細書
【補正対象項目名】０００１
【補正方法】変更
【補正の内容】
【０００１】
本発明は、モジュール状に構成された電子写真式の印刷装置であって、支持装置を有しており、該支持装置が搬送装置を有していて、この搬送装置上で、印刷しようとする基板がスタート位置と目標位置との間で搬送されるようになっており、この場合、スタート位置と目標位置との間で支持装置に単数又は複数の電子写真ユニットが配置されており、これらの電子写真ユニットが、光導電体、現像装置、露光装置及びこれと類似のものとして構成されている形式のものに関する。
このような形式の印刷装置は、ヨーロッパ特許第０９３２８５１号明細書により公知である。この公知の印刷装置においては、印刷工程のために必要な複数のユニットがスタート位置から目標位置まで相前後して所定の順番で配置されている。これらのユニットは、電荷、キャラクタジェネレーション（文字発生）、現像、露光、電荷逆転（Ｕｍｌａｄｕｎｇ）及びこれと類似の所定の個別工程を有する所定の全印刷プログラムで設計され、目標位置で、移動する印刷担体にトナー画像としての印刷画像が伝達される。印刷担体は、別の搬送装置上で移動せしめられる基板であってよい。複数の電子写真ユニットを備えた搬送装置は、トナー画像を受容して、これを転写ゾーンに搬送するために用いられる。
このような公知の印刷装置は、搬送装置に多大なコストを必要とすることが知られている。しかも印刷装置は、異なる印刷プロセスに転用することはできず、またスタート位置と目標位置との間で別の順番でその他のユニットを装備することもできない。
所定の印刷プロセスに設計されているか、又は電子写真ユニット自体を互いに接続することができるようになっている印刷装置は、例えば米国特許第６２０８６１２号明細書に開示されている。この印刷装置は、米国特許第４５６９５８２号明細書、ＰＡＴＥＮＴ ＡＢＳＴＲＡＣＴＳ ＯＦ ＪＡＰＡＮ ＶＯＬ．２０００， ｎｏ ０６， ２２． Ｓｅｐｔｅｍｂｅｒ ２００２ （２００−０９−２２） − 及び特開２０００−８１８２７号公報（キャノン株式会社）、平成１２年３月２１日（２０００−０３−２１）に記載されているように、互いに並んで配置された複数のユニットを備えた搬送装置と連結しなくても構成することができる。この場合、印刷装置を異なる印刷プロセスに、フレキシブルにかつユニバーサルに適合させることは不可能である。
本発明の課題は、簡単な形式で異なる印刷プロセスに適合させることができる、モジュール状に構成された電子写真式の印刷装置を提供することである。
この課題を解決した本発明によれば、前記支持装置が、搬送装置の搬送方向で相前後して配置された多数の受容部を有していて、これらの受容部が、電子写真ユニットを取り付けるための一体的な機械的インタフェース及び電気的インタフェースを備えており、この場合、これらの電子写真ユニットが、機械的接続部のための複数の固定部分を備えており、前記受容部が電気的接続部のためのバスシステムを備えている。この場合、十分な受容部が設けられていれば、印刷プロセスのために、別の順序で、異なる構造及び異なる数のユニットが必要となる。これらのユニットは、各受容部内に収容され、機械的かつ電気的に受容部に接続され、さらに中央の制御ユニットに電気的に接続することができる。この場合、バスシステムは、制御ユニットに組み込まれたユニットに応じて種々異なる接続部を製造する可能性を提供する。このような印刷装置の構成によって、種々異なる印刷プロセスのための大きいフレキシブル性及びバリエーション可能性が提供される。このフレキシブル性（可変性）及びバリエーション可能性は、スタート位置と目標位置との間のユニットの順番、設置された受容部及びユニットの数によって与えられる。




【国際調査報告】
2004512568.tif 000019
2004512568.tif 000020
2004512568.tif 000021
2004512568.tif 000022
2004512568.tif 000023
2004512568.tif 000024